(57)【要約】【課題】流体中に存在し得る監視対象を迅速かつ確実に監視する。【解決手段】流体に含まれる放射性よう素１３１Ｉを連続して捕集する捕集工程と、捕集工程にて捕集された放射性よう素１３１Ｉを流体の流通に伴って連続して検出する検出工程と、検出工程で検出された放射性よう素１３１Ｉのカウント出力を積算する積算工程と、積算工程による積算結果から流体における放射性よう素１３１Ｉの変化を判定する判定工程と、を含む。【選択図】図２
2020030064.tif 000002
【特許請求の範囲】
【請求項１】
流体に含まれる監視対象物を連続して捕集する捕集工程と、
前記捕集工程にて捕集された前記監視対象物を前記流体の流通に伴って連続して検出する検出工程と、
前記検出工程で検出された前記監視対象物の出力を積算する積算工程と、
前記積算工程による積算結果から前記流体における前記監視対象物の変化を判定する判定工程と、
を含む監視方法。
【請求項２】
前記監視対象物は前記流体に含まれる放射性物質である、請求項１に記載の監視方法。
【請求項３】
前記放射性物質は、放射性よう素１３１Ｉである、請求項２に記載の監視方法。
【請求項４】
前記判定工程は、前記流体に含まれ得る放射性ふっ素１８Ｆが平衡した後に前記流体における前記放射性よう素１３１Ｉの変化を判定する、請求項３に記載の監視方法。
【請求項５】
前記捕集工程は、前記流体に含まれる前記監視対象物を捕集する複数の捕集部を有し、
前記検出工程における検出時間または前記積算工程における積算結果に応じて各前記捕集部への前記流体の供給を選択的に切り替える、請求項１〜４のいずれか１つに記載の監視方法。
【請求項６】
監視対象物が含まれ得る流体を流通する容器の内部に配置されて前記流体に含まれる前記監視対象物を捕集する捕集部と、
前記捕集部に捕集された前記監視対象物を前記容器の外部から前記流体の流通に伴って連続して検出する検出部と、
前記検出部で検出された前記監視対象物の出力を積算する積算部と、
前記積算部による積算結果から前記流体における前記監視対象物の変化を判定する判定部と、
を備える監視装置。
【請求項７】
前記捕集部を複数有して各前記捕集部に対して前記流体の供給を変更する変更部を備え、
変更部は、前記検出部における検出時間または前記積算部における積算結果に応じて各前記捕集部への前記流体の供給を選択的に切り替える、請求項６に記載の監視装置。
【発明の詳細な説明】
【技術分野】
【０００１】
本発明は、監視方法および監視装置に関する。
【背景技術】
【０００２】
例えば、特許文献１に記載の放射性溶液検知モニタは、高いバックグランド線量率環境下で原子力発電所プラント冷却水，燃料貯蔵プールなどの保管施設の水質異常および漏水の早期検知を行うことを目的としている。この放射性溶液検知モニタは、監視対象の溶液に含まれる放射性物質を吸着する吸着剤が収納され監視対象の溶液が通過または溜められる容器と、容器に設けられた放射線検出窓と、容器内の放射性物質から放射される放射線を放射線検出窓を介して検知する放射線検出器と、放射線検出器の出力を計測する計測部と、を備える。
【先行技術文献】
【特許文献】
【０００３】
【特許文献１】特開２０１５−０８１９０５号公報
【発明の概要】
【発明が解決しようとする課題】
【０００４】
原子力発電プラントにおいては、放射線の監視は重要であり、例えば、特許文献１に記載のように放射線を検出することが必要となる。
【０００５】
ここで、比較的高いレベルの放射線量の監視対象の場合、放射線量の検出が容易であり監視を容易に行うことができる。しかしながら、比較的低いレベルの放射線量の監視対象の場合は、特許文献１に記載のような吸着剤への吸着に時間を要し迅速かつ確実に監視を行うことが難しい。
【０００６】
本発明は、上述した課題を解決するものであり、流体中に存在し得る監視対象を迅速かつ確実に監視することのできる監視方法および監視装置を提供することを目的とする。
【課題を解決するための手段】
【０００７】
上述の目的を達成するために、本発明の一態様に係る監視方法は、流体に含まれる監視対象物を連続して捕集する捕集工程と、前記捕集工程にて捕集された前記監視対象物を前記流体の流通に伴って連続して検出する検出工程と、前記検出工程で検出された前記監視対象物の出力を積算する積算工程と、前記積算工程による積算結果から前記流体における前記監視対象物の変化を判定する判定工程と、を含む。
【０００８】
本発明の一態様に係る監視方法では、前記監視対象物は前記流体に含まれる放射性物質であることが好ましい。
【０００９】
本発明の一態様に係る監視方法では、前記放射性物質は、放射性よう素１３１Ｉであることが好ましい。
【００１０】
本発明の一態様に係る監視方法では、前記判定工程は、前記流体に含まれ得る放射性ふっ素１８Ｆの捕集量と減衰量とが平衡した後に前記流体における前記放射性よう素１３１Ｉの変化を判定することが好ましい。
【００１１】
本発明の一態様に係る監視方法では、前記捕集工程は、前記流体に含まれる前記監視対象物を捕集する複数の捕集部を有し、前記検出工程における検出時間または前記積算工程における積算結果に応じて各前記捕集部への前記流体の供給を選択的に切り替えることが好ましい。
【００１２】
上述の目的を達成するために、本発明の一態様に係る監視装置は、監視対象物が含まれ得る流体を流通する容器の内部に配置されて前記流体に含まれる前記監視対象物を捕集する捕集部と、前記捕集部に捕集された前記監視対象物を前記容器の外部から前記流体の流通に伴って連続して検出する検出部と、前記検出部で検出された前記監視対象物の出力を積算する積算部と、前記積算部による積算結果から前記流体における前記監視対象物の変化を判定する判定部と、を備える。
【００１３】
本発明の一態様に係る監視装置では、前記捕集部を複数有して各前記捕集部に対して前記流体の供給を変更する変更部を備え、変更部は、前記検出部における検出時間または前記積算部における積算結果に応じて各前記捕集部への前記流体の供給を選択的に切り替えることが好ましい。
【発明の効果】
【００１４】
本発明によれば、監視対象物の捕集、および監視対象物の検出を連続して行い、検出したカウント出力を積算し、積算結果に基づいて監視対象物の変化を判定する。このため、連続した捕集および検出と、検出したカウント出力の積算により、自動化でき、作業を容易に行えるため、作業時間を減少できる。しかも、連続測定により監視対象物を高感度で検出でき、積算結果に基づく判定により監視対象物の変化を迅速かつ確実に判定できる。
【図面の簡単な説明】
【００１５】
【図１】図１は、本発明の実施形態に係る監視装置の概略図である。
【図２】図２は、本発明の実施形態に係る監視方法のフローチャートである。
【図３】図３は、本発明の実施形態に係る監視方法の説明図である。
【図４】図４は、本発明の実施形態に係る監視方法の説明図である。
【図５】図５は、本発明の実施形態に係る監視装置の他の例の概略図である。
【発明を実施するための形態】
【００１６】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１７】
図１は、本実施形態に係る監視装置の概略図である。
【００１８】
本実施形態の監視装置は、例えば、原子力発電プラントに適用され、放射性物質を監視対象物としている。放射性物質としては、放射性よう素１３１Ｉを対象としている。なお、本実施形態の監視装置で監視する監視対象物は、放射性物質としても放射性よう素１３１Ｉに限らず、例えば放射性キセノン、放射性セシウムであってもよい。また、本実施形態の監視装置で監視する監視対象物は、放射性物質に限らず、例えばＳＯｘやＮＯｘであってもよい。
【００１９】
本実施形態の監視装置は、図１に示すように、流体をサンプリングするサンプリングラインＳに介在され、サンプリングラインＳに供給される流体を連続的に流通させる。流体は、液体（水）または気体（空気）を含み、本実施形態では液体中（水中）に含まれる監視対象物を監視することとして説明する。
【００２０】
監視装置は、捕集部１と、流通ライン２と、開閉弁３と、検出部４と、制御部５と、を有している。制御部５は、入力部６と、積算部７と、判定部８と、弁駆動部９と、を有している。
【００２１】
捕集部１は、本実施形態では複数（図１では３つ）有している。捕集部１は、水を流通することができるように入口および出口が形成された容器の内部に配置されている。捕集部１は、フィルタであり、本実施形態では、放射性よう素１３１Ｉを吸着して捕集するものとしてアニオン吸着ペーパが適用される。捕集部１は、アニオン系に限らず、カチオン系や活性炭であってもよい。
【００２２】
流通ライン２は、サンプリングラインＳの供給側Ｓａから供給される水を、捕集部１を収納する容器の入口に供給し、容器の内部を流通して出口から排出される水をサンプリングラインＳの排出側Ｓｂに戻す。なお、サンプリングラインＳの供給側Ｓａは、図示しないが、プラントの水が送られる配管の上流側に接続され、サンプリングラインＳの排出側Ｓｂは、前記配管の下流側に接続されている。本実施形態では、３つの捕集部１を有しており、流通ライン２は、各捕集部１を並列してサンプリングラインＳに接続する。流通ライン２は、サンプリングラインＳの供給側Ｓａに接続されて分岐して捕集部１を収納する各容器の入口にそれぞれ接続される供給側流通ライン２ａ，２ｂ，２ｃと、捕集部１を収納する各容器の出口にそれぞれ接続され集合してサンプリングラインＳの排出側Ｓｂに接続される排出側流通ライン２ｄ，２ｅ，２ｆと、を有している。具体的には、供給側流通ライン２ａが１つ目の捕集部１（１ａ）を収納する容器の入口に接続され、排出側流通ライン２ｄが当該捕集部１ａを収納する容器の出口に接続されている。また、供給側流通ライン２ｂが２つ目の捕集部１（１ｂ）を収納する容器の入口に接続され、排出側流通ライン２ｅが当該捕集部１ｂを収納する容器の出口に接続されている。また、供給側流通ライン２ｃが３つ目の捕集部１（１ｃ）を収納する容器の入口に接続され、排出側流通ライン２ｆが当該捕集部１ｃを収納する容器の出口に接続されている。
【００２３】
開閉弁３は、各供給側流通ライン２ａ，２ｂ，２ｃおよび各排出側流通ライン２ｄ，２ｅ，２ｆにそれぞれに設けられ、各供給側流通ライン２ａ，２ｂ，２ｃおよび各排出側流通ライン２ｄ，２ｅ，２ｆを開閉することで各供給側流通ライン２ａ，２ｂ，２ｃおよび各排出側流通ライン２ｄ，２ｅ，２ｆにおける水の流通を開放または閉止する。開閉弁３は、各供給側流通ライン２ａ，２ｂ，２ｃに設けられる供給側開閉弁３ａ，３ｂ，３ｃと、各排出側流通ライン２ｄ，２ｅ，２ｆに設けられる排出側開閉弁３ｄ，３ｅ，３ｆと、を有している。具体的には、供給側開閉弁３ａが供給側流通ライン２ａに設けられ、供給側開閉弁３ｂが供給側流通ライン２ｂに設けられ、供給側開閉弁３ｃが供給側流通ライン２ｃに設けられている。また、排出側開閉弁３ｄが排出側流通ライン２ｄに設けられ、排出側開閉弁３ｅが排出側流通ライン２ｅに設けられ、排出側開閉弁３ｆが排出側流通ライン２ｆに設けられている。
【００２４】
検出部４は、容器に収納された捕集部１において、捕集された監視対象物（放射性よう素１３１Ｉ）を検出する。検出部４は、放射性よう素１３１Ｉを非破壊で検出するように、ガンマ線を検出するもので、例えば、ゲルマニウム半導体検出器、発光分析、元素分析を適用することが好ましい。本実施形態では、捕集部１が３つ設けられているため、検出部４は、捕集部１ａに捕集された放射性よう素１３１Ｉを検出するための検出部４ａと、捕集部１ｂに捕集された放射性よう素１３１Ｉを検出するための検出部４ｂと、捕集部１ｃに捕集された放射性よう素１３１Ｉを検出するための検出部４ｃと、を有している。図には明示しないが、各検出部４ａ，４ｂ，４ｃは、捕集部１ａ，１ｂ，１ｃ以外から放射性よう素１３１Ｉを検出しないように、捕集部１ａ，１ｂ，１ｃに向く面以外が遮へい材で囲まれていることが好ましい。また、捕集部１ａ，１ｂ，１ｃは、検出部４ａ，４ｂ，４ｃに向けて放射性よう素１３１Ｉを放射するように、容器が遮へい材で囲まれて検出部４ａ，４ｂ，４ｃの位置にのみ窓を設けることが好ましい。
【００２５】
なお、検出部４は、複数の各捕集部１ａ，１ｂ，１ｃに対して単一で構成され、各捕集部１ａ，１ｂ，１ｃに捕集された放射性よう素１３１Ｉを別々に検出するように構成されていてもよい。この場合、例えば、各捕集部１ａ，１ｂ，１ｃを円周上に配置し、その中央に単一の検出部４を配置し、かつ上述した容器を囲む遮へい材の窓が開閉可能に構成されており、窓を選択的に開放することで選択された捕集部１ａ，１ｂ，１ｃのいずれか１つに捕集された放射性よう素１３１Ｉを単一の検出部４により検出する。
【００２６】
制御部５は、検出部４（４ａ，４ｂ，４ｃ）が検出した検出信号を入力し、当該入力に応じた処理を行う。制御部５は、例えば、コンピュータであり、図には明示しないが、演算処理装置、記憶装置などにより実現され、表示装置、入力装置、音声出力装置、ドライブ装置、および入出力インターフェース装置を有してもよい。演算処理装置は、ＣＰＵ（Central  Processing  Unit）のようなマイクロプロセッサを含む。記憶装置は、ＲＯＭやＲＡＭのようなメモリおよびストレージを含む。演算処理装置は、記憶装置に記憶されているコンピュータプログラムに従って演算処理を実施する。表示装置は、フラットパネルディスプレイを含む。入力装置は、操作されることにより入力データを生成するもので、キーボードおよびマウスの少なくとも一方を含む。なお、入力装置が表示装置の表示画面に設けられたタッチセンサを含んでもよい。音声出力装置は、スピーカーを含む。ドライブ装置は、上述した入力部６や、積算部７や、判定部８や、弁駆動部９を実行させるためのプログラムなどのデータが記録された記録媒体からデータを読み出す。記録媒体は、ＣＤ−ＲＯＭ、フレキシブルディスク、光磁気ディスクなどのように情報を光学的、電気的或いは磁気的に記録する記録媒体、ＲＯＭ、フラッシュメモリなどの様に情報を電気的に記録する半導体メモリなど、様々なタイプの記録媒体を用いることができる。入出力インターフェース装置は、演算処理装置と記憶装置と表示装置と入力装置と音声出力装置とドライブ装置との間でデータ通信する。
【００２７】
この制御部５は、上述したように、入力部６と、積算部７と、判定部８と、弁駆動部９と、を有している。
【００２８】
入力部６は、検出部４（４ａ，４ｂ，４ｃ）が検出した検出信号を入力する。本実施形態において、入力部６は、検出信号の入力を連続してカウントする。
【００２９】
積算部７は、入力部６において連続してカウントしたカウント値を積算した積算カウント値を取得する。
【００３０】
判定部８は、積算部７で積算した積算カウント値に基づいて放射性よう素１３１Ｉの変化を判定する。
【００３１】
弁駆動部９は、開閉弁３（３ａ，３ｂ，３ｃ，３ｄ，３ｅ，３ｆ）を開閉させる駆動信号を出力する。弁駆動部９は、複数の捕集部１ａ，１ｂ，１ｃに対して水の供給を変更するため、開閉弁３（３ａ，３ｂ，３ｃ，３ｄ，３ｅ，３ｆ）を選択的に開閉する。具体的に、捕集部１ａに水を供給する場合、開閉弁３ａ，３ｄを開放し、他を閉止する。また、捕集部１ｂに水を供給する場合、開閉弁３ｂ，３ｅを開放し、他を閉止する。また、捕集部１ｃに水を供給する場合、開閉弁３ｃ，３ｆを開放し、他を閉止する。即ち、本実施形態において、弁駆動部９および開閉弁３（３ａ，３ｂ，３ｃ，３ｄ，３ｅ，３ｆ）を、各捕集部１ａ，１ｂ，１ｃに対して水の供給を変更する変更部という。各捕集部１ａ，１ｂ，１ｃに対して水の供給を変更するタイミングは、１つの捕集部１における放射性よう素１３１Ｉの捕集量が飽和するタイミングで行う。具体的には、積算部７における積算カウント値が所定値（ＣＭＡＸ：図４参照）に到達した積算結果や、積算カウント値が所定値に到達し得る予め設定した検出時間の経過がある。従って、弁駆動部９は、積算部７における積算結果や検出時間に応じて各捕集部１ａ，１ｂ，１ｃに対して水の供給を変更する。
【００３２】
図２は、本実施形態に係る監視方法のフローチャートである。図３および図４は、本実施形態に係る監視方法の説明図である。
【００３３】
図２に示すように、上述した監視装置の動作である監視方法は、ステップＳ１において、弁駆動部９にて開閉弁３を駆動して捕集部１（１ａ，１ｂ，１ｃ）を選択し、選択した捕集部１への流通を開始する［捕集工程］。同時に、ステップＳ２において、入力部６にて検出部４からの出力を入力し放射性よう素１３１Ｉの検出を行い［検出工程］、積算部７にて積算を開始する［積算工程］。
【００３４】
ここで、測定核種の放射性よう素１３１Ｉ（Ｉ−１３１）の検出の妨害核種として放射性ふっ素１８Ｆ（Ｆ−１８）が存在する。放射性ふっ素１８Ｆは、図３に示すように、平衡となる時間Ｔａを経過すると捕集量と減衰量とが平衡となりカウント数がそれ以上増加しない。従って、積算カウント（トータルカウント）は、放射性よう素１３１Ｉの実質のカウント数よりも放射性ふっ素１８Ｆで増加する分加算されるが、放射性ふっ素１８Ｆの平衡となる時間Ｔａ以降のガンマ線カウント数は放射性よう素１３１Ｉの由来のものとなるため、放射性よう素１３１Ｉの積算傾向と変わらない。従って、本実施形態では、ステップＳ３におけるＹｅｓで示すように、放射性ふっ素１８Ｆの平衡となる時間Ｔａを経過した場合、ステップＳ４に移行して判定を行う。一方、ステップＳ３におけるＮｏで示すように、放射性ふっ素１８Ｆの平衡となる時間Ｔａを経過していない場合は、平衡となる時間Ｔａを経過を待つ。
【００３５】
そして、ステップＳ５では、ステップＳ４において判定部８にて積算カウントに変化が無いかを判定する［判定工程］。積算カウントは、図４に実線で示すように、漸次積算して増加していく。そして、積算の途中で放射性よう素１３１Ｉが急激に増加した場合、図４に一点鎖線で示すような著しい変化を示す。つまり、ステップＳ５におけるＮｏで示すように、積算カウントに変化があった場合、燃料リークや燃料の異常が疑われるためステップＳ６に移行して報知を行い、本制御を終了する。報知の手段としては、制御部５が有する表示装置や音声出力装置にて実施できる。報知の後は、弁駆動部９にて開閉弁３を駆動して捕集部１を変更し、新たにステップＳ１以降のステップを実行する。一方、ステップＳ５におけるＹｅｓで示すように、積算カウントに変化が無い場合は、ステップＳ７に移行し、捕集部１が飽和したかを判断する。ステップＳ７におけるＮｏで示すように、捕集部１が飽和していない場合は、ステップＳ５に戻り積算カウントの判定を行う。一方、ステップＳ７におけるＹｅｓで示すように、捕集部１が飽和した場合は、弁駆動部９にて開閉弁３を駆動して捕集部１を変更し、ステップＳ１に移行し、以降のステップを実行する。
【００３６】
従来実施されている一般的なサンプリング手法は、バッチ処理であり、例えば１０リッターの水を採取し、これを手作業にてアニオン吸着ペーパに通水し、放射性フッ素の減衰後に測定を行っている。このような測定において、放射性よう素１３１Ｉは、よう素の補正レベルが非常に低く、［ベクレル／ｃｃ］で１ｃｃ取ってきても１回しかカウントしない。このため、従来の手法では、測定に半日以上を要している。そして、従来の手法は、週３回の実施で、約２０［時間／週］を要し、年１０００時間を要することなる。放射性よう素１３１Ｉが急激に変化した場合は、この作業を１日に１〜２回行う。従って、従来の手法は非常に手間がかかり作業負担が大きい。
【００３７】
これに対し、本実施形態の監視方法では、流体に含まれる放射性よう素１３１Ｉを連続して捕集する捕集工程と、捕集工程にて捕集された放射性よう素１３１Ｉを流体の流通に伴って連続して検出する検出工程と、検出工程で検出された放射性よう素１３１Ｉのカウント出力を積算する積算工程と、積算工程による積算結果から流体における放射性よう素１３１Ｉの変化を判定する判定工程と、を含む。
【００３８】
本実施形態の監視方法によれば、放射性よう素１３１Ｉの捕集、および放射性よう素１３１Ｉの検出を連続して行い、検出したカウント出力を積算し、積算結果に基づいて放射性よう素１３１Ｉの変化を判定する。このため、連続した捕集および検出と、検出したカウント出力の積算により、自動化でき、作業を容易に行えるため、作業時間を減少できる。しかも、連続測定により放射性よう素１３１Ｉを高感度で検出でき、積算結果に基づく判定により放射性よう素１３１Ｉの変化を迅速かつ確実に判定できる。また、本実施形態の監視方法によれば、放射性よう素１３１Ｉ以外の各種元素組成および化学形態の測定の迅速化も可能となる。
【００３９】
また、本実施形態の監視方法では、監視対象物が流体に含まれる放射性物質である。
【００４０】
流体に含まれる放射性物質は、被ばくのおそれを伴うため自動化することで、そのような事態を低減できる。
【００４１】
また、本実施形態の監視方法では、放射性物質は、放射性よう素１３１Ｉである。
【００４２】
放射性よう素１３１Ｉは、上述したように補正レベルが非常に低く、このような放射性よう素１３１Ｉであっても、連続した検出により好適に検出でき、かつ積算結果による判定により変化を迅速に検知できる。
【００４３】
また、本実施形態の監視方法では、流体に含まれ得る放射性ふっ素１８Ｆが平衡となった後に流体における放射性よう素１３１Ｉの変化を判定する。
【００４４】
連続した検出、および積算結果による判定により、妨害核種である放射性ふっ素１８Ｆの平衡となる時間Ｔａ以降の判定を自動化できる。
【００４５】
また、本実施形態の監視方法では、捕集工程は、流体に含まれる放射性よう素１３１Ｉを捕集する複数の捕集部１ａ，１ｂ，１ｃを有し、検出工程における検出時間または積算工程における積算結果に応じて各捕集部１ａ，１ｂ，１ｃへの流体の供給を選択的に切り替える。
【００４６】
複数の捕集部１ａ，１ｂ，１ｃを有し、各捕集部１ａ，１ｂ，１ｃへの流体の供給を選択的に切り替えることで、長時間の連続した検出および判定を実施することができる。
【００４７】
また、本実施形態の監視装置は、放射性よう素１３１Ｉが含まれ得る流体を流通する容器の内部に配置されて流体に含まれる放射性よう素１３１Ｉを捕集する捕集部１と、捕集部１に捕集された放射性よう素１３１Ｉを容器の外部から流体の流通に伴って連続して検出する検出部４と、検出部４で検出された放射性よう素１３１Ｉのカウント出力を積算する積算部７と、積算部７による積算結果から流体における放射性よう素１３１Ｉの変化を判定する判定部８と、を備える。
【００４８】
本実施形態の監視装置によれば、放射性よう素１３１Ｉの捕集、および放射性よう素１３１Ｉの検出を連続して行い、検出したカウント出力を積算し、積算結果に基づいて放射性よう素１３１Ｉの変化を判定する。このため、連続した捕集および検出と、検出したカウント出力の積算により、自動化でき、作業を容易に行えるため、作業時間を減少できる。しかも、連続測定により放射性よう素１３１Ｉを高感度で検出でき、積算結果に基づく判定により放射性よう素１３１Ｉの変化を迅速かつ確実に判定できる。また、本実施形態の監視装置によれば、放射性よう素１３１Ｉ以外の各種元素組成および化学形態の測定の迅速化も可能となる。
【００４９】
また、本実施形態の監視装置では、捕集部１を複数有して各捕集部１ａ，１ｂ，１ｃに対して流体の供給を変更する変更部である開閉弁３および弁駆動部９を備え、変更部は、検出部４における検出時間または積算部７における積算結果に応じて各捕集部１ａ，１ｂ，１ｃへの流体の供給を選択的に切り替える。
【００５０】
本実施形態の監視装置によれば、複数の捕集部１ａ，１ｂ，１ｃを有し、各捕集部１ａ，１ｂ，１ｃへの流体の供給を選択的に切り替えることで、長時間の連続した検出および判定を実施することができる。
【００５１】
図５は、本実施形態に係る監視装置の他の例の概略図である。
【００５２】
図５に示す監視装置は、図１に示す監視装置に対し、複数（２つ）の捕集部１ａ，１ｂを直列に接続することが異なる。即ち、流通ライン１０と、開閉弁１１と、の構成が異なる。他の構成については、図１に示す監視装置と同様であるため、同様の構成に同一の符号を付して説明を省略する。
【００５３】
流通ライン１０は、サンプリングラインＳの供給側Ｓａから供給される水を、捕集部１（１ａ，１ｂ）を収納する容器の入口に供給し、容器の内部を流通して出口から排出される水をサンプリングラインＳの排出側Ｓｂに戻す。なお、サンプリングラインＳの供給側Ｓａは、図示しないが、プラントの水が送られる配管の上流側に接続され、サンプリングラインＳの排出側Ｓｂは、前記配管の下流側に接続されている。本実施形態では、２つの捕集部１ａ，１ｂを有しており、流通ライン１０は、各捕集部１１，１ｂを直列してサンプリングラインＳに接続する。流通ライン１０は、サンプリングラインＳの供給側Ｓａに接続されて分岐して各捕集部１ａ，１ｂを収納する各容器の入口にそれぞれ接続される供給側流通ライン１０ａ，１０ｂと、各捕集部１ａ．１ｂを収納する各容器の出口にそれぞれ接続され集合してサンプリングラインＳの排出側Ｓｂに接続される排出側流通ライン１０ｃ，１０ｄと、を有している。具体的には、供給側流通ライン１０ａが１つ目の捕集部１（１ａ）を収納する容器の入口に接続され、排出側流通ライン１０ｃが当該捕集部１ａを収納する容器の出口に接続されている。また、供給側流通ライン１０ｂが２つ目の捕集部１（１ｂ）を収納する容器の入口に接続され、排出側流通ライン１０ｄが当該捕集部１ｂを収納する容器の出口に接続されている。さらに、流通ライン１０は、供給側流通ライン１０ａと排出側流通ライン１０ｄとを接続する第一クロスライン１０ｅと、供給側流通ライン１０ｂと排出側流通ライン１０ｃとを接続する第二クロスライン１０ｆと、を有している。
【００５４】
開閉弁１１は、各供給側流通ライン１０ａ，１０ｂ、各排出側流通ライン１０ｃ，１０ｄ、および各クロスライン１０ｅ，１０ｆにそれぞれに設けられ、各供給側流通ライン１０ａ，１０ｂ、各排出側流通ライン１０ｃ，１０ｄ、および各クロスライン１０ｅ，１０ｆにおける水の流通を開放または閉止する。開閉弁１１は、供給側流通ライン１０ａの第一クロスライン１０ｅが接続される上流側（サンプリングラインＳの供給側Ｓａ）に設けられる供給側開閉弁１１ａと、供給側流通ライン１０ｂの第二クロスライン１０ｆが接続される上流側（サンプリングラインＳの供給側Ｓａ）に設けられる供給側開閉弁１１ｂと、排出側流通ライン１０ｃの第二クロスライン１０ｆが接続される下流側（サンプリングラインＳの排出側Ｓｂ）に設けられる排出側開閉弁１１ｃと、排出側流通ライン１０ｄの第一クロスライン１０ｅが接続される下流側（サンプリングラインＳの排出側Ｓｂ）に設けられる排出側開閉弁１１ｄと、第一クロスライン１０ｅに設けられる第一クロス開閉弁１１ｅと、第二クロスライン１０ｆに設けられる第二クロス開閉弁１１ｆと、を有している。
【００５５】
従って、図５に示す監視装置は、供給側開閉弁１１ａ、排出側開閉弁１１ｄ、および第二クロス開閉弁１１ｆを開放し、供給側開閉弁１１ｂ、排出側開閉弁１１ｃ、および第一クロス開閉弁１１ｅを閉止することで、サンプリングラインＳの供給側Ｓａから供給された流体が、供給側流通ライン１０ａ、捕集部１ａ、排出側流通ライン１０ｃの一部、第二クロスライン１０ｆ、供給側流通ライン１０ｂの一部、捕集部１ｂ、排出側流通ライン１０ｄを経てサンプリングラインＳの排出側Ｓｂから排出される。一方、供給側開閉弁１１ｂ、排出側開閉弁１１ｃ、および第一クロス開閉弁１１ｅを開放し、供給側開閉弁１１ａ、排出側開閉弁１１ｄ、および第二クロス開閉弁１１ｆを閉止することで、サンプリングラインＳの供給側Ｓａから供給された流体が、供給側流通ライン１０ｂ、捕集部１ｂ、排出側流通ライン１０ｄの一部、第一クロスライン１０ｅ、供給側流通ライン１０ａの一部、捕集部１ａ、排出側流通ライン１０ｃを経てサンプリングラインＳの排出側Ｓｂから排出される。
【００５６】
このように、図５に示す監視装置は、捕集部１ａと捕集部１ｂとを直列して接続することで、例えば、最初は捕集部１ａから捕集部１ｂに流体を流通させて捕集部１ａで放射性よう素１３１Ｉの連続捕集を行って放射性よう素１３１Ｉの連続検出を行うことで、カウント出力を積算して積算結果に基づく判定を行う。次いで、捕集部１ｂから捕集部１ａに流体を流通させて捕集部１ｂで放射性よう素１３１Ｉの連続捕集を行って放射性よう素１３１Ｉの連続検出を行うことで、カウント出力を積算して積算結果に基づく判定を行う。
【００５７】
従って、図５に示す監視装置でも、上述した監視方法を実施できる。
【符号の説明】
【００５８】
１（１ａ，１ｂ，１ｃ）  捕集部
２  流通ライン
２ａ，２ｂ，２ｃ  供給側流通ライン
２ｄ，２ｅ，２ｆ  排出側流通ライン
３  開閉弁
３ａ，３ｂ，３ｃ  供給側開閉弁
３ｄ，３ｅ，３ｆ  排出側開閉弁
４（４ａ，４ｂ，４ｃ）  検出部
５  制御部
６  入力部
７  積算部
８  判定部
９  弁駆動部
１０  流通ライン
１０ａ，１０ｂ  供給側流通ライン
１０ｃ，１０ｄ  排出側流通ライン
１０ｅ  第一クロスライン
１０ｆ  第二クロスライン
１１  開閉弁
１１ａ，１１ｂ  供給側開閉弁
１１ｃ，１１ｄ  排出側開閉弁
１１ｅ  第一クロス開閉弁
１１ｆ  第二クロス開閉弁
Ｓ  サンプリングライン
Ｓａ  供給側
Ｓｂ  排出側
Ｔａ  捕集量と減衰量とが平衡となる時間，放射性物質の半減期の５倍程度
【図１】
2020030064.tif 000003
【図２】
2020030064.tif 000004
【図３】
2020030064.tif 000005
【図４】
2020030064.tif 000006
【図５】
2020030064.tif 000007